(57)【特許請求の範囲】
【請求項１】
可撓性を有するハンドル体の両端部を水筒本体周面に設けた取付部に枢着し、このハンドル体の端部と取付部との枢着部に、ハンドル体を水筒本体周面に対し出没操作可能とするハンドル出没機構を設けたハンドル付水筒であって、前記ハンドル出没機構は、前記ハンドル体の少なくとも一方の端部に軸ピンを設け、この軸ピンを枢着する軸受孔部を前記取付部に設け、この軸受孔部をハンドル体の長さ方向に沿った長さを有する長孔形状に形成して、ハンドル体を水筒本体周面に沿設させた際に軸受孔部の先側に軸ピンが位置し、且つハンドル体を水筒本体周面より側方へ突出させた際に軸受孔部の後側に軸ピンが位置するように構成し、この軸受孔部の長さ方向の孔縁の途中部に凸縁部を設けて、この凸縁部の存する部位の孔径寸法が前記軸ピンの径寸法より小さい小径部分となるように軸受孔部を構成し、ハンドル体を水筒本体周面に沿設させた状態から側方へ突出させると、軸受孔部の先側に位置する軸ピンが前記凸縁部による小径部分を越えて軸受孔部の後側へと移動し、ハンドル体を側方へ突出させた状態から水筒本体周面に沿設させると、軸受孔部の後側に位置する軸ピンが前記凸縁部による小径部分を越えて軸受孔部の先側へと移動するように構成され、前記取付部は、左右に対設する取付部材を備えた構成として、この対設する取付部材間に前記軸ピンを設けたハンドル体の端部を配設し得るように構成し、この各取付部材に前記軸受孔部を設けて、この左右対向位置に存する各軸受孔部に前記軸ピンの両端部を枢着した構成とし、この取付孔部を設けた取付部材は、前記取付部と別部品として取付部に左右対設状態に配設したことを特徴とするハンドル付水筒。
【請求項２】
前記取付部材に、前記軸受孔部と隣接状態にして肉抜き部を形成し、この肉抜き部により軸受孔部の前記小径部分を前記軸ピンが越える際に、この小径部分の孔縁が変形して軸ピンが小径部分を移動する構成としたことを特徴とする請求項１記載のハンドル付水筒。
【発明の詳細な説明】
【技術分野】
【０００１】
本発明は、ハンドル付水筒に関するものである。
【背景技術】
【０００２】
例えば、ステンレス魔法瓶のような携帯用水筒のハンドル構造として、従来、このハンドルを持ち易くしたり、水筒に沿わせて邪魔にならないようにしたりできる、出没操作可能なハンドル構造が提案されている（例えば、特許文献１参照。）。
【０００３】
【特許文献１】実公平８−８７４７号公報
【発明の開示】
【発明が解決しようとする課題】
【０００４】
本発明は、このような出没操作可能なハンドルを備えた水筒の改良に係るもので、この特許文献１よりも簡易構成のハンドル出没機構を有し、製作容易で量産性に秀れると共に、安価に構成提供可能なハンドル付水筒を提供するものである。
【課題を解決するための手段】
【０００５】
添付図面を参照して本発明の要旨を説明する。
【０００６】
可撓性を有するハンドル体１の両端部を水筒本体２周面に設けた取付部３に枢着し、このハンドル体１の端部と取付部３との枢着部に、ハンドル体１を水筒本体２周面に対し出没操作可能とするハンドル出没機構４を設けたハンドル付水筒であって、前記ハンドル出没機構４は、前記ハンドル体１の少なくとも一方の端部に軸ピン５を設け、この軸ピン５を枢着する軸受孔部６を前記取付部３に設け、この軸受孔部６をハンドル体１の長さ方向に沿った長さを有する長孔形状に形成して、ハンドル体１を水筒本体２周面に沿設させた際に軸受孔部６の先側に軸ピン５が位置し、且つハンドル体１を水筒本体２周面より側方へ突出させた際に軸受孔部６の後側に軸ピン５が位置するように構成し、この軸受孔部６の長さ方向の孔縁の途中部に凸縁部６Ａを設けて、この凸縁部６Ａの存する部位の孔径寸法が前記軸ピン５の径寸法より小さい小径部分６Ｂとなるように軸受孔部６を構成し、ハンドル体１を水筒本体２周面に沿設させた状態から側方へ突出させると、軸受孔部６の先側に位置する軸ピン５が前記凸縁部６Ａによる小径部分６Ｂを越えて軸受孔部６の後側へと移動し、ハンドル体１を側方へ突出させた状態から水筒本体２周面に沿設させると、軸受孔部６の後側に位置する軸ピン５が前記凸縁部６Ａによる小径部分６Ｂを越えて軸受孔部６の先側へと移動するように構成され、前記取付部３は、左右に対設する取付部材30を備えた構成として、この対設する取付部材30間に前記軸ピン５を設けたハンドル体１の端部を配設し得るように構成し、この各取付部材30に前記軸受孔部６を設けて、この左右対向位置に存する各軸受孔部６に前記軸ピン５の両端部を枢着した構成とし、この取付孔部６を設けた取付部材30は、前記取付部３と別部品として取付部３に左右対設状態に配設したことを特徴とするハンドル付水筒に係るものである。
【０００７】
また、前記取付部材30に、前記軸受孔部６と隣接状態にして肉抜き部７を形成し、この肉抜き部７により軸受孔部６の前記小径部分６Ｂを前記軸ピン５が越える際に、この小径部分６Ｂの孔縁が変形して軸ピン５が小径部分６Ｂを移動する構成としたことを特徴とする請求項１，２のいずれか１項に記載のハンドル付水筒に係るものである。
【発明の効果】
【０００８】
本発明は上述のように構成したから、ハンドル体使用時には水筒本体からハンドル体を突出させることができると共に、不使用時には水筒本体にハンドル体を沿わせてコンパクトにでき、しかも、この作用・効果を実現する本発明のハンドル出没機構は、少なくともハンドル体の一方の端部に軸ピンを設け、この軸ピンを備えたハンドル体端部を枢着する取付部に、長孔形状であって且つ途中部に凸縁部を設けることによる軸ピンの径より小さな小径部分を有する軸受孔部を設けるだけの構成のため、部品点数が少なく、製作も容易で量産性に秀れると共に、安価に構成提供可能であるなど、極めて実用性に秀れた画期的なハンドル付水筒となる。
【０００９】
また、本発明においては、軸受孔部を有する取付部材を取付部と別部品としたため、凸縁部付の軸受孔部を有する取付部材を簡易に設計実現可能となる一層実用性に秀れた構成のハンドル付水筒となる。
【００１０】
また、請求項２記載の発明においては、小径部分で軸ピンを軸受孔部の先側と後側とに保持する構成、即ちハンドル体が使用状態と不使用状態とで簡単に動かないように保持する構成でありながら、この小径部分を軸ピンが比較的容易に移動できる一層操作性に秀れた構成のハンドル付水筒となる。
【発明を実施するための最良の形態】
【００１１】
好適と考える本発明の実施形態（発明をどのように実施するか）を、図面に基づいて本発明の作用を示して簡単に説明する。
【００１２】
例えば、ハンドル体１を持って水筒を携帯したい場合は、水筒本体２周面に沿設しているハンドル体１を掴んで水筒本体２から離れる方向に引っ張ると、ハンドル出没機構４によりハンドル体１が水筒本体２周面より側方へ突出する。
【００１３】
具体的には、ハンドル体１の少なくとも一方の端部が、この端部が枢着されている取付部３から離れる方向に引っ張られ、これにより、取付部３の軸受孔部６の先側に位置していたハンドル体１端部の軸ピン５が、軸受孔部６途中部の凸縁部６Ａによる小径部分６Ｂを越えて後側へと移動する。
【００１４】
そして、この小径部分６Ｂを通過すると、小径部分６Ｂは軸ピン５の径寸法より小径であるため、軸ピン５が簡単に軸受孔部６の先側へと移動することがなく、この軸受孔部６の後側に位置する状態が保持されて、ハンドル体１が水筒本体２周面より側方へ突出した状態（ハンドル体１の使用状態）が保持される。
【００１５】
また、このハンドル体１の使用状態から、ハンドル体１を使用しない状態へ切り替える場合は、突出しているハンドル体１を水筒本体２周面に向けて押圧すると、ハンドル出没機構４によりハンドル体１が水筒本体２周面に沿設する。
【００１６】
具体的には、ハンドル出没機構４により、ハンドル体１の少なくとも一方の端部が、この端部が枢着されている取付部３の先側へと押圧されて移動し、これにより、取付部３の軸受孔部６の後側に位置していたハンドル体１端部の軸ピン５が軸受孔部６途中部の凸縁部６Ａによる小径部分６Ｂを越えて先側へと移動する。
【００１７】
そして、この小径部分６Ｂを通過すると、小径部分６Ｂは軸ピン５の径寸法より小径であるため、軸ピン５が簡単に軸受孔部６の後側へと移動することがなく、この軸受孔部６の先側に位置する状態が保持されて、ハンドル体１が水筒本体２周面に沿設した状態（ハンドル体１の不使用状態）が保持される。
【００１８】
従って、ハンドル体１使用時には水筒本体２からハンドル体１を突出させることができるし、不使用時には水筒本体２にハンドル体１を沿わせてコンパクトにでき、また、上記したようにハンドル体１の操作性も良好であり、しかも、このハンドル体１出没作動を実現する本発明のハンドル出没機構４は、少なくともハンドル体１の一方の端部に軸ピン５を設け、この軸ピン５を備えたハンドル体１端部を枢着する取付部３に、長孔形状であって且つ途中部に凸縁部６Ａによる軸ピン５の径より小径な小径部分６Ｂを有する軸受孔部６を設けるだけの構成のため、部品点数が少なく、製作も容易で量産性に秀れると共に、安価に構成提供可能であるなど、極めて実用性に秀れたハンドル付水筒となる。
【実施例】
【００１９】
本発明の具体的な実施例について図面に基づいて説明する。
【００２０】
本実施例の水筒本体２は、図１，図２に示すような円柱形のステンレス魔法瓶を図示している。
【００２１】
また、この水筒本体２の上方部と下端部の外周面に、樹脂製のリング帯13を付設し、この上下の各リング帯13の所定位置に取付部３を突出状態に一体成形して、この上下の各取付部３に可撓製を有するハンドル体１の両端部を枢着して、水筒本体２にハンドル体１を縦設状態に設けている。
【００２２】
また、本実施例のハンドル体１は、例えば合成ゴム製の可撓性を有する長尺帯状体とし、この長尺状のハンドル体１の両端部（上下両端部）に先細形状の樹脂製連結部１Ａを突設し、この両端部夫々の連結部１Ａの先端部に、前記取付部３への枢着軸となる軸ピン５を、その軸長さ方向がハンドル体１の長さ方向と直交するようにして付設すると共に、この各連結部１Ａの（左右）両側に軸ピン５の両端部が突出するように設けている。
【００２３】
一方、このハンドル体１両端部の連結部１Ａが枢着される前記各取付部３は、図１，図２に示すように正面から見て略転コ字形状を呈する形状に形成すると共に、双方の開放部側が上下対向状態となるようにして各リング帯13に一体成形されている。
【００２４】
そして、上下の各取付部３にハンドル体１両端部の各連結部１Ａを軸ピン５により枢着しているが、本実施例では、この上下いずれかの枢着構造部に、即ち、図面では水筒本体２の上方部の取付部３とこれに対応する図面上側に配された連結部１Ａとの枢着構造部に、ハンドル体１を水筒本体２周面に対し出没操作可能とするハンドル出没機構４を設けている。
【００２５】
本実施例のハンドル出没機構４について説明すると、水筒本体２上方部の取付部３に、図面上側に配した連結部１Ａの軸ピン５を挿通軸支する軸受孔部６を設け、この軸受孔部６の形状を、ハンドル体１の長さ方向（図面上下方向）に沿った長さを有する長孔形状に形成して、ハンドル体１を水筒本体２周面に直線状にして沿設させた際には、軸受孔部６のハンドル体１に対する先側（図面上側）に、この軸受孔部６に軸支した軸ピン５が位置し、ハンドル体１を水筒本体２より側方へ湾曲状に突出させた際には、軸受孔部６のハンドル体１に対する後側（図面下側）に、この軸受孔部６に軸支した軸ピン５が位置するように構成している。
【００２６】
また、この軸受孔部６には、この軸受孔部６の長さ方向の途中部の孔縁に凸縁部６Ａを設けて、この凸縁部６Ａの存する部位の孔径寸法が前記軸ピン５の径寸法よりもやや小径な小径部分６Ｂとなるように構成し、この小径部分６Ｂを軸ピン５が通過する際には移動抵抗を生じて軸ピン５が簡単に通過できない構成としている。即ち、ハンドル体１を水筒本体２周面に沿設させた状態から、ハンドル体１を側方へ引っ張るように力を加えて湾曲突出させることで、軸受孔部６の先側に位置する軸ピン５が前記凸縁部６Ａによる前記小径部分６Ｂを越えて後側へと移動し、ハンドル体１を側方へ湾曲突出させた状態から水筒本体２周面方向へ押圧するように力を加えて水筒本体２周面に沿設させることで、軸受孔部６の後側に位置する軸ピン５が前記凸縁部６Ａによる小径部分６Ｂを越えて先側へと移動する構成としている。
【００２７】
更に具体的に説明すると、上方部の略転コ字形の取付部３は、下方に垂下する左右の遊離端部３Ａに夫々取付部材30を設けてこの取付部材30が左右に対設する形状とし、この対設する取付部材30間に前記軸ピン５を設けたハンドル体１の上側の連結部１Ａを配設し得るように構成し、この各取付部材30の対向内側面に夫々前記軸受孔部６を設け、この対向位置に存する各軸受孔部６に前記軸ピン５の両端部を挿通軸支した構成としている。
【００２８】
また、更に詳しくは、図３に示すように、前記軸受孔部６が貫通形成された方形板状の樹脂製の取付部材30を、前記取付部３と別部品とし、上方部の略転コ字形の取付部３は、その左右の遊離端部３Ａの対向内側面に取付部材30を沿設配設し得るように設けると共に、この左右の遊離端部３Ａと中間部の夫々の正面側にストッパ片部３Ｂを一体成形して、このストッパ片部３Ｂのない取付部３の下方から前記取付部材30を遊離端部３Ａの内側面に沿設させると、ストッパ片部３Ｂにより取付部材30が取付部３の正面側に移動しようとすることが阻止される構成としている。
【００２９】
また、この取付部３の、水筒本体２の外周面に沿設状態となっている底面部に、前記左右の遊離端部３Ａに沿設状態にして溝状の案内部３Ｃを設け、この案内部３Ｃに取付部材30の側縁部を嵌合させた状態で取付部材30を取付部３の奥側（図面上側）へと移動させる構成とし、更にこの案内部３Ｃの図面下側位置となる取付部３の底面部に落込穴３Ｄを形成する一方、落込穴３Ｄに嵌合する突起30Ａを取付部材30の側縁部の下端に突設して、取付部材30を取付部３の奥側へと移動させて取付部材30の突起30Ａを落込穴３Ｄに落込み嵌合させることにより、取付部３に対し取付部材30が位置決めされる構成としている。
【００３０】
従って、軸受孔部６を有する取付部材30を取付部３と別部品としたため、例えば、凸縁部６Ａ付の軸受孔部６並びに突起30Ａ並びに後述のピン孔30Ｂ並びに後述の肉抜き部７を備えた取付部材30を、樹脂成形などにより容易に設計実現可能となり、製作性・量産性に秀れる。
【００３１】
また、ハンドル体１の上側の連結部１Ａを、水筒本体２上方の取付部３を取付する場合には、例えば、予め連結部１Ａの左右に突出する軸ピン５の両端部に、前記軸受孔部６を介して取付部材30を引っ掛け、この取付部材30を引っ掛けたまま連結部１Ａを取付部３の左右の遊離端部３Ａ間に下方から押し込んでこの遊離端部３Ａの内面に左右の取付部材30を沿設させて押し込み移動させると、やがて前記突起30Ａが前記落込穴３Ｄに落込み嵌合して取付部材30が取付部３に位置決めされ、これにより軸受孔部６に軸支された軸ピン５により、連結部１Ａが取付部３に対し抜け止め状態に且つ回動自在に枢着保持される（図４参照。）。このようにして連結部１Ａの取付部３への組み付けも容易に行われ、量産性に秀れる構成としている。
【００３２】
そして、本実施例では、この各取付部材30と取付部３とを横方向に貫通する止着ピン８により取付部３に各取付部材30を確固に固定し、連結部１Ａを取付部３に確固に枢着連結する構成としている。図中符号３Ｅ，30Ｂは止着ピン８を止着するピン孔である。
【００３３】
また、本実施例の凸縁部６Ａは、各軸受孔部６の、水筒本体２の周面側に存する長手方向の孔縁部の、図面下方寄りの途中部に一体に凸設しており、この凸縁部６Ａの形状は、図５〜図８に示すように、図面上側（軸受孔部６の先側）は下方（後方）へ向って緩やかに傾斜突出し、下側（軸受孔部６の後側）は上方（先方）へ向って急角度で傾斜突出し、更にこの上側縁と下側縁との連設縁部（凸縁部６Ａの頂部）が凸湾曲縁となる形状に構成している。
【００３４】
また、この凸縁部６Ａの下側（後側）に存する軸受孔部６の後側部位には、丁度軸ピン５が嵌り込む（嵌合する）ように軸受孔部６後側の孔形状を設定構成し、この軸受孔部６の後側部位に軸ピン５が嵌り込むことで位置決めされて、ハンドル体１が水筒本体２の周面から突出したハンドル体１の使用状態が良好に保持される構成としている（図６参照。）。
【００３５】
また、本実施例では、前記軸受孔部６と隣接状態にして、この軸受孔部６の前記小径部分６Ｂを前記軸ピン５が移動する際にこの小径部分６Ｂの変形を促す肉抜き部７を設けている。
【００３６】
具体的には、図６に示すように前記各取付部材30の、前記軸受孔部６の水筒本体２周面に対し外側となる隣接位置に軸受孔部６と同調する方向に長さを有する肉抜き部７を貫通形成している。そして、この肉抜き部７により、軸受孔部６の外側の孔縁部（前記凸縁部６Ａ側の孔縁部と対向する孔縁部）が若干肉抜き部７方向へ撓み変形し易くなり、この撓みを生じることで図７に示すように小径部分６Ｂの径が広がり、これにより凸縁部６Ａの頂部が湾曲縁であることもあってこの小径部分６Ｂを軸ピン５が越えて軸受孔部６の先側と後側とを行き来移動し得るように構成している。
【００３７】
従って、本実施例は、上記したように小径部分６Ｂで軸ピン５の通過移動に抵抗を付与してハンドル体１が使用状態と不使用状態とで簡単に動かないように保持する構成であるが、小径部分６Ｂを軸ピン５が通過する際には、肉抜き部７を設けたことによる軸受孔部６の変形により、さほど大きな力を加えずとも通過させることができる操作性に秀れた構成としている。
【００３８】
以上のように構成した本実施例のハンドル出没機構４は、ハンドル体１の一方の端部に軸ピン５を設け、この軸ピン５を備えたハンドル体１端部を取り付けする取付部３に、一体成形による凸縁部６Ａ付の軸受孔部６等を有する一対の取付部材30を設けるだけで構成できるため、部品点数が少なく、製作も容易で量産性に秀れると共に、安価に構成提供可能となる。
【００３９】
次に、本実施例の作動を説明する。
【００４０】
ハンドル体１を持って水筒を携帯したい場合は、水筒本体２周面に直線状となって沿設しているハンドル体１を掴んで水筒本体２から離れる方向に引っ張って、ハンドル体１を水筒本体２より側方へ湾曲状に突出させる（図２，図６参照。）。
【００４１】
すると、ハンドル体１の少なくとも一方の端部がこの一方の端部が枢着されている取付部３から離れる方向に引っ張られて移動し、これにより、取付部３の軸受孔部６の先側に位置していたハンドル体１端部の軸ピン５が図７に示すように軸受孔部６途中部の凸縁部６Ａによる小径部分６Ｂへと移動して、軸ピン５が小径部分６Ｂで引っ掛かる。
【００４２】
この引っ掛かりに抗してハンドル体１を更に引っ張るように力を加えると、肉抜き部７があることによって図８のように小径部分６Ｂの孔縁が撓み変形して径が大きくなり、この小径部分６Ｂを越えて軸ピン５が軸受孔部６の後側へと移動する（図５の状態から図６の状態へと移動する）。
【００４３】
そして、この小径部分６Ｂを越えると、小径部分６Ｂは軸ピン５の径寸法より小径であるため、軸ピン５が簡単に軸受孔部６の先側へと移動することがなく、また、軸受孔部６Ａの後側は軸ピン５が丁度嵌り込むような形状となっているため、この軸受孔部６の後側に位置する状態が良好に保持され、ハンドル体１が水筒本体２より側方へ湾曲状に突出した状態が良好に保持される。
【００４４】
このハンドル体１使用状態から、ハンドル体１を使用しない状態へ切り替える場合は、湾曲状に突出しているハンドル体１を水筒本体２周面に向けて押圧して、ハンドル体１を水筒本体２周面に直線状にして沿設させる（図１，図５参照。）。
【００４５】
すると、ハンドル体１の少なくとも一方の端部がこの一方の端部が枢着されている取付部３の先側へと押圧されて移動し、これにより、取付部３の軸受孔部６の後側に位置して（嵌り込んで）いたハンドル体１端部の軸ピン５は、図面右斜め上方向にしか逃げ道がないために図７に示すように軸受孔部６途中部の凸縁部６Ａによる小径部分６Ｂへと移動して、軸ピン５が小径部分６Ｂで引っ掛かる。
【００４６】
この引っ掛かりに抗してハンドル体１を更に押圧するように力を加えると、肉抜き部７があることによって図８のように小径部分６Ｂの孔縁が撓み変形して径が大きくなり、この小径部分６Ｂを越えて軸ピン５が軸受孔部６の先側へと移動する（図６の状態から図５の状態に移動する。）。
【００４７】
そして、この小径部分６Ｂを越えると、小径部分６Ｂは軸ピン５の径寸法より小径であるため、軸ピン５が簡単に軸受孔部６の後側へと簡単には移動することがなく、この軸受孔部６の先側に位置する状態が保持され、ハンドル体１が水筒本体２周面に直線状となって沿設した状態が保持される。
【００４８】
尚、本発明は、本実施例に限られるものではなく、各構成要件の具体的構成は適宜設計し得るものである。
【図面の簡単な説明】
【００４９】
【図１】本実施例のハンドル体不使用状態を示す斜視図である。
【図２】本実施例のハンドル体使用状態を示す斜視図である。
【図３】本実施例の要部の分解斜視図である。
【図４】本実施例の要部の説明斜視図である。
【図５】本実施例のハンドル体不使用状態における、軸ピンと軸受孔部との関係を示す説明側断面図である。
【図６】本実施例のハンドル体使用状態における、軸ピンと軸受孔部との関係を示す説明側断面図である。
【図７】本実施例の軸ピンの軸受孔部での作動を示す部分拡大説明図である。
【図８】本実施例の軸ピンが小径部分を越えて移動しようとする状態を示した部分拡大説明図である。
【符号の説明】
【００５０】
１  ハンドル体
２  水筒本体
３  取付部
４  ハンドル出没機構
５  軸ピン
６  軸受孔部
６Ａ  凸縁部
６Ｂ  小径部分
７  肉抜き部
30  取付部材
【図１】
0004616797.tif 000002
【図２】
0004616797.tif 000003
【図３】
0004616797.tif 000004
【図４】
0004616797.tif 000005
【図５】
0004616797.tif 000006
【図６】
0004616797.tif 000007
【図７】
0004616797.tif 000008
【図８】
0004616797.tif 000009